(57)【要約】【課題】装着者の体型の違いや着用する下着の締付け力の違いによっても吸収体のフィット性が変わらず、臀部の溝に吸収体をきっちりと違和感なく密着させるようにする。【解決手段】ナプキン１の幅方向中央部であって、少なくとも排血部Ｈから臀裂部Ｓにかけた範囲に使用面側に隆起した中高部吸収体６を有するとともに、この中高部吸収体６の両側にほぼナプキン１の長手方向に延びる左右一対の圧搾溝８ｃ〜８ｆを備え、該圧搾溝８ｅ〜８ｆは、前記排血部Ｈ及び前記臀裂部ＳＫにおける圧搾溝８ｃ、８ｅ間の幅Ｂ１、Ｂ３よりも、これら排血部Ｈと臀裂部ＳＫとの間の会陰部における圧搾溝８ｄ間の幅Ｂ２が小さくなるように形成されるとともに、前記臀裂部ＳＫから後部側にかけて圧搾溝間の幅Ｂ４が漸次縮小するように形成され、かつ少なくとも前記会陰部から臀裂部にかけた範囲Ｓにおいて前記左右一対の圧搾溝８ｃ〜８ｆ以外の圧搾溝を有しない構造とする。【選択図】図５
2008295475.tif 000002
【特許請求の範囲】
【請求項１】
透液性トップシートとバックシートとの間に吸収体が介在された吸収性物品において、
前記吸収性物品の幅方向中央部であって、少なくとも排血部から臀裂部にかけた範囲に使用面側に隆起した中高部吸収体を有するとともに、この中高部吸収体の両側にほぼ吸収性物品の長手方向に延びる左右一対の圧搾溝を備え、該圧搾溝は、前記排血部及び臀裂部における圧搾溝間の幅よりも、これら排血部と臀裂部との間の会陰部における圧搾溝間の幅が小さくなるように形成されるとともに、前記臀裂部から後部側にかけて圧搾溝間の幅が漸次縮小するように形成され、かつ少なくとも前記会陰部から臀裂部にかけた範囲において前記左右一対の圧搾溝以外の圧搾溝を有しないことを特徴とする吸収性物品。
【請求項２】
前記圧搾溝は、少なくとも会陰部から臀裂部にかけた範囲において、前記中高部吸収体の側縁よりも外側に２〜１０mm離間した位置に形成されている請求項１記載の吸収性物品。
【請求項３】
前記圧搾溝は、前記会陰部における圧搾溝幅を前記臀裂部における圧搾溝幅よりも大きく形成してある請求項１，２いずれかに記載の吸収性物品。
【請求項４】
前記圧搾溝は、少なくとも会陰部から臀裂部にかけた範囲において、高圧搾部と低圧搾部とが交互に形成された圧搾溝とされるとともに、これら高圧搾部と低圧搾部との方向が、吸収性物品の長手方向中心側に向かって後部側に傾斜する方向とされる請求項１〜３いずれかに記載の吸収性物品。
【請求項５】
前記中高部吸収体は、前記臀裂部から後部側にかけて厚みが漸次減少するようにしてある請求項１〜４いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、詳しくは着用者の体型に拘わらず、臀裂部に確実にフィットし得るようにした吸収性物品に関する。
【背景技術】
【０００２】
従来より、生理用ナプキン、パンティライナー、失禁パッドなどの吸収性物品として、ポリエチレンシートまたはポリエチレンラミネートシート不織布などの不透液性バックシートと、不織布または透液性プラスチックシートなどの透液性トップシートとの間に綿状パルプ等からなる吸収体を介在したものが知られている。
【０００３】
この種の吸収性物品においては、排泄された体液が臀裂部の溝を通じて後漏れを起こすのを防止するために種々の手段が講じられている。例えば下記特許文献１では、身体の湾曲又は動きに合わせて常にフィットする吸収性物品とするため、少なくとも吸収層の長手方向の中央部は防漏層に固定される一方、吸収層の後方部には防漏層に固定されない後方自由縁部が形成され、この後方自由縁部には吸収体の長手方向に沿って且つ所定長さに亘って弾性部材が配されており、該弾性部材の収縮により、前記後方自由縁部が防漏層の上方に向けて起立する吸収性物品が開示されている。
【０００４】
しかしながら、上記特許文献１記載の吸収性物品は、臀部表面の湾曲には対応できるものの、臀部の溝を通じた漏れを確実に防止することはできなかった。
【０００５】
近年、臀裂部の溝からの確実な後漏れを防止するため、吸収体を臀部の溝を埋めるように密着させるようにした吸収性物品が提案されている。例えば、下記特許文献２では、身体が動いたときに臀部の溝への密着性を維持しやすい吸収性物品とするため、本体部と固定された前方部分と本体部と固定されない後方自由部分とに区分された表面構造体において、前記後方自由部分が前記本体部よりも幅寸法が小さく、且つ前記前方部分よりも幅寸法が小さく形成されるとともに、本体部の中心線に対して左右５度以上の角度で変形自在である吸収性物品が開示されている。
【０００６】
また、下記特許文献３では、吸収体が下部吸収体とこれより幅狭の上部吸収体とから構成され、前記上部吸収体は吸収性物品の表面側であって、かつナプキン長手方向中心位置に配置され、少なくとも排血部位の前方側位置から前記排血部位を含む範囲までが下部吸収体側と実質的に接合され一体を成し、前記排血部位を含む範囲までの接合後端位置からさらに後方側部分が下部吸収体側と非接合とされ、実質的に移動を拘束されない自由区間部を構成することによって、下部吸収体の大きな移動があっても上部吸収体の側に伝達されないため位置ズレを起こさずフィットした状態を保持するようにして後漏れを確実に防止するようにした吸収性物品が開示されている。
【０００７】
更に、下記特許文献４では、図８(A)に示されるように、肌側表面に位置する液透過性の表面シート５１と、着衣側表面に位置する裏面シート５２とを有し、縦方向に延びる両側縁部が形成された吸収性物品５０において、縦方向に延びる中心線から左右両側に離れた位置に、第１の可撓軸５３，５３および前記第１の可撓軸５３，５３の外側に間隔を開けた第２の可撓軸５４，５４がそれぞれ縦方向に延びて形成され、右側の第１の可撓軸５３と左側の第１の可撓軸５３との間に吸収層を有する中央吸収層５５が形成され、前記第１の可撓軸５３と前記第２の可撓軸５４との間にそれぞれ支持部吸収層５６が、前記第２の可撓軸５４と前記側縁部との間にそれぞれ側端部吸収層５７が形成され、前記第１の可撓軸５３を介して前記中央吸収部５５と前記支持部吸収層５６とが折り曲げ可能とされ、前記第２の可撓軸５４を介して前記支持部吸収層５６と前記側端部とが折り曲げ可能とされ、同図８(B)に示されるように、それぞれの第２の可撓軸５４，５４に前記縦方向中心線に向かう圧縮力Ｆ、Ｆが作用したときに、前記第１の可撓軸５３が前記第２の可撓軸５４よりも肌側に向かうように前記支持部吸収層５６，５６が変位することで、前記中央吸収層５５が肌側へ向けられるようにした吸収性物品が開示されている。
【特許文献１】特開平１１−１０４１６９号公報
【特許文献２】特開２００３−７９６６２号公報
【特許文献３】特開２００３−１０２４２号公報
【特許文献４】特開２００４−１５４１５３号公報
【発明の開示】
【発明が解決しようとする課題】
【０００８】
しかしながら、上記特許文献２、３に記載の吸収性物品は、いずれも臀部の溝を埋めるように吸収体を密着させるものであるため臀部の溝を通じた漏れを低減することは可能であるものの、下着の締付け力によって吸収体を臀部の溝に密着させるものであるため、下着の締付け力により吸収体のフィット性が異なっていた。すなわち、締付け力の緩い下着を使用した場合、上記特許文献２における後方自由部分及び上記特許文献３における上部吸収体は、臀裂の最深部に密着することができず、体液の後漏れが生じる問題があった。さらに、これらの吸収性物品は、装着者の体型によっても臀部の溝内への密着性又は装着感が異なっていた。すなわち、臀部の肉付きが少ない痩せ型の装着者にとっては、臀部の溝の深部に密着させることができるものの、逆にゴワ付き感などの不快感が生じるのに対し、臀部の肉付きが多い肥満型の装着者にとっては、臀部の溝の最深部に密着させることができなかった。
【０００９】
また、前記特許文献４記載の吸収性物品は、第２の可撓軸５４，５４に前記縦方向中心線に向かう圧縮力Ｆ、Ｆが作用したときに、前記第１の可撓軸５３が前記第２の可撓軸５４よりも肌側に向かうように前記支持部吸収層５６，５６が変位すれば、確かに図８(B)に示される形状で折れ曲がり、中央部吸収層５５を肌側へ向けられるようになるが、図９に示されるように、前記第１の可撓軸が５３、５３が谷折りとなり、前記第２の可撓軸５４，５４が山折りとなると、中央部吸収層５５を肌側に向けることができなくなるという問題があった。
【００１０】
そこで本発明の主たる課題は、装着者の体型の違いや着用する下着の締付け力の違いによっても吸収体のフィット性が変わらず、臀部の溝に吸収体をきっちりと違和感なく密着させることが可能な吸収性物品を提供することにある。
【課題を解決するための手段】
【００１１】
前記課題を解決するために請求項１に係る本発明として、透液性トップシートとバックシートとの間に吸収体が介在された吸収性物品において、
前記吸収性物品の幅方向中央部であって、少なくとも排血部から臀裂部にかけた範囲に使用面側に隆起した中高部吸収体を有するとともに、この中高部吸収体の両側にほぼ吸収性物品の長手方向に延びる左右一対の圧搾溝を備え、該圧搾溝は、前記排血部及び臀裂部における圧搾溝間の幅よりも、これら排血部と臀裂部との間の会陰部における圧搾溝間の幅が小さくなるように形成されるとともに、前記臀裂部から後部側にかけて圧搾溝間の幅が漸次縮小するように形成され、かつ少なくとも前記会陰部から臀裂部にかけた範囲において前記左右一対の圧搾溝以外の圧搾溝を有しないことを特徴とする吸収性物品が提供される。
【００１２】
上記請求項１記載の発明においては、吸収性物品の幅方向中央部であって、少なくとも排血部対応部位から臀裂部にかけた範囲に使用面側に隆起した中高部吸収体を有する吸収性物品において、前記中高部吸収体の両側にほぼ吸収性物品の長手方向に延びる左右一対の圧搾溝を備えるとともに、該圧搾溝は、(1)前記排血部及び臀裂部における圧搾溝間の幅よりも、これら排血部と前記臀裂部との間の会陰部における圧搾溝間の幅が小さくなるように形成されるとともに、前記臀裂部から後部側にかけて圧搾溝間の幅が漸次縮小するように形成され、(2)少なくとも前記会陰部から臀裂部にかけた範囲において前記左右一対の圧搾溝以外の圧搾溝を有しない構造としたものである。
【００１３】
上記圧搾溝構成(1)は、換言すれば、会陰部において、前後に隣接する排血部及び臀裂部よりも圧搾溝間の幅が小さく形成されるとともに、臀裂部を越えてから圧搾溝間の幅が徐々に狭まるように圧搾溝を形成したものである。従って、会陰部から臀裂部及びその後端側において、両側から吸収性物品の長手方向中心側に向かって圧縮力Ｆ、Ｆ…を受けた場合、圧搾溝間の幅が最も大きい臀裂部において、最も大きな圧縮力を受けることになり、臀裂部の中高部吸収体が他の部分よりも肌側に隆起するようになり、臀裂部の溝に食い込むようになるため、臀裂部の溝に吸収体が密着し易くなる。
【００１４】
また、前記圧搾溝構成(2)は、少なくとも前記会陰部から臀裂部にかけた範囲において前記左右一対の圧搾溝以外に他の圧搾溝を有しない構造としたものであるであるが、前述した特許文献４のように、長手方向中心の片側に２条づつ圧搾溝を有する場合は、これら圧搾溝が谷折りとなるか、山折りとなるかによって、むしろ後漏れが起こりやすい状態となるため、左右一対の圧搾溝の他には圧搾溝、すなわち可撓軸を有しない構造とし、吸収性物品の幅方向の剛性を持たせ、この左右一対の圧搾溝よりも外側に吸収体が折れ曲がることなく、吸収性物品の長手方向中心側に寄せられるようにすることで、中央の中高部を肌側に隆起させるようにしたものである。同時に、吸収性物品の長手方向に沿う圧搾溝を左右一対のみの構成とすることで、該長手方向の剛性が高くなるのを抑制するため、吸収性物品が臀部に沿って曲線状にフィットし易くなる。
【００１５】
請求項２に係る本発明として、前記圧搾溝は、少なくとも会陰部から臀裂部にかけた範囲において、前記中高部吸収体の側縁よりも外側に２〜１０mm離間した位置に形成されている請求項１記載の吸収性物品が提供される。
【００１６】
上記請求項２記載の発明は、中高部吸収体の長手方向に沿う剛性を低減することにより、吸収性物品が臀部に沿ってフィットし易くしたものである。通常、中高部吸収体の両側に付与される圧搾溝は、中高部吸収体の側縁位置に合わせて付与するようにしているが、この場合は、前記中高部吸収体を盛り上げる効果はあるが、吸収体が硬くなり吸収性物品の長手方向の剛性が上がってしまうため、臀部に対して角折れしながらフィットするようになる。しかし、本発明のように、中高部吸収体の側縁よりも外側に２〜１０mm離れた位置に圧搾溝を施すと、中高部吸収体が柔らかく維持されたままとなるため、角折れすることなく、臀部の曲線に沿って曲線状に折れ曲がり易くなる。
【００１７】
請求項３に係る本発明として、前記圧搾溝は、前記会陰部における圧搾溝幅を前記臀裂部における圧搾溝幅よりも大きく形成してある請求項１，２いずれかに記載の吸収性物品が提供される。
【００１８】
上記請求項３記載の発明は、前記会陰部における圧搾溝幅を前記臀裂部における圧搾溝幅よりも大きく形成するようにしたものである。すなわち、臀裂部の圧搾溝幅を細く形成することにより、両側から吸収性物品の長手方向中心側に向かって圧縮力Ｆ、Ｆ…を受けた際、前記圧搾溝が吸収性物品の幅方向に折れ曲がり易くなり、臀裂部の中高部吸収体を肌側に隆起させ易くなる。
【００１９】
請求項４に係る本発明として、前記圧搾溝は、少なくとも会陰部から臀裂部にかけた範囲において、高圧搾部と低圧搾部とが交互に形成された圧搾溝とされるとともに、これら高圧搾部と低圧搾部との方向が、吸収性物品の長手方向中心側に向かって後部側に傾斜する方向とされる請求項１〜３いずれかに記載の吸収性物品が提供される。
【００２０】
上記請求項４記載の発明は、高圧搾部と低圧搾部との方向が、吸収性物品の長手方向中心側に向かって後部側に傾斜する方向とすることにより、両側から吸収性物品の長手方向中心側に向かって圧縮力Ｆ、Ｆ…を受けた場合、前記圧搾溝が吸収性物品の幅方向に折れ曲がり易くなり、臀裂部の中高部吸収体を肌側に隆起させ易くなる。
【００２１】
請求項５に係る本発明として、前記中高部吸収体は、前記臀裂部から後部側にかけて厚みが漸次減少するようにしてある請求項１〜４いずれかに記載の吸収性物品が提供される。
【００２２】
上記請求項５記載の発明は、前記臀裂部から後部側にかけて、中高部吸収体の厚みを漸次減少させるようにしたものである。臀部の窪みは、肛門部から後側にかけて漸次浅くなっているため、これに合わせて中高部吸収体の厚みを減少させることにより、臀裂部での違和感を解消することができるとともに、中高部吸収体の剛性が後部側にかけて漸次小さくなることにより、吸収性物品が臀部に沿って曲線状にフィットし易くなる。
【発明の効果】
【００２３】
以上詳説のとおり本発明によれば、臀裂部に対応する中高部吸収体を効果的に肌側へ隆起させることができるため、中高部吸収体を臀部の溝にきっちりと違和感なく密着させることが可能となる。
【発明を実施するための最良の形態】
【００２４】
以下、本発明の実施の形態について図面を参照しながら詳述する。
〔生理用ナプキン１の基本構造〕
図１は本発明に係る生理用ナプキン１の展開図であり、図２は図１のII−II線矢視図、図３は図１のIII−III線矢視図、図４は図１のIV−IV線矢視図である。
【００２５】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４、６と、この吸収体４の形状保持および拡散性向上のために前記吸収体４を囲繞するクレープ紙５と、前記吸収体４の略側縁部を起立基端とし、かつ少なくとも排血部Ｈを含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２６】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２７】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２８】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましい。
【００２９】
前記吸収体４の使用面側には、幅方向中央部にナプキン長手方向に細長く、かつ周方向に閉合している圧搾溝８によって区画される領域に、使用面側に隆起させるために中高部吸収体６が形成されている。この中高部吸収体６の厚みは、厚くし過ぎると吸収体４の剛性が上がり身体への密着性が低下するため３〜２０mm、好ましくは５〜１５mmとするのが好ましい。また、使用面側には前記圧搾溝８とともに、圧搾溝９，１０がそれぞれ形成されている。これら各圧搾溝８〜１０については更に詳しく後述する。前記吸収体４の目付けは、200〜800g/m２、好ましくは250〜750g/m２、前記中高部吸収体６の目付けは、200〜500g/m２、好ましくは300〜400g/m２とするのが良い。
【００３０】
一方、前記透液性トップシート３の幅寸法は、図示例では、図２〜図４の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１５〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３１】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１０…，１１…を備え、図７に示されるように、ショーツ３０に対する装着時に、前記ウイング状フラップＷ、Ｗが折返し線ＲＬ位置にて反対側に折り返し、ショーツ３０のクロッチ部分に巻き付けて止着するようになっている。
【００３２】
一方、前記サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、前記糸状弾性伸縮部材１９の上側部位に複数本の、図示例では２本の糸状弾性伸縮部材２０，２０が両端または長手方向の適宜の位置が固定された状態で配設されている。この二重シート部分は前後端部では図４に示されるように、断面Ｚ状に折り畳んで積層された状態で吸収体４側に接着されることによって、前記糸状弾性伸縮部材１９配設部位を屈曲点として、断面く字状に内側に開口を向けたポケットＰ、Ｐを形成しながら表面側に起立する立体ギャザーＢＳ、ＢＳが形成されている。
【００３３】
〔圧搾溝８〜１０の構造〕
本生理用ナプキン１においては、詳細には図５に示されるように、幅方向中央部に使用面側に隆起した中高部吸収体６を有するとともに、この中高部吸収体６を囲むように、ナプキン１の長手方向に細長い圧搾溝８が形成されている。この圧搾溝８は、前部側から順に、前端部圧搾溝８ａ、縮小形状圧搾溝８ｂ、排血部圧搾溝８ｃ、会陰部圧搾溝８ｄ、臀裂部圧搾溝８ｅ、臀裂後部側圧搾溝８ｆから構成されている。これら各圧搾溝は分断することなく連続的に形成され、全体として周方向に閉合している。なお、前記圧搾溝８は、熱及び／又は圧力によるエンボッシングや、超音波、またはその組合せ等、任意の手段によって付与することが可能である。
【００３４】
前記前端部圧搾溝８ａは、略半円弧状に形成された圧搾溝であり、中高部吸収体６の両側に夫々形成された略長手方向に沿う各左右一対の圧搾溝をナプキン前端部において円弧状の曲線ラインで結合する圧搾溝である。
【００３５】
前記縮小形状圧搾溝８ｂは、前記前端部圧搾溝８ａに連続して中高部吸収体６の両側に、ナプキン１の長手方向に延長するように形成された左右一対の圧搾溝であり、ほぼ大腿部の前側に位置するとともに、図示の如く、圧搾溝離間幅の縮小領域を形成するように、両側の圧搾溝ラインがそれぞれ、ナプキン１の外方側に曲率中心を有する曲線によって形成されている。
【００３６】
前記排血部圧搾溝８ｃは、排血部Ｈに対応するとともに、前記縮小形状圧搾溝８ｂに連続して中高部吸収体６の両側に、ほぼナプキン１の長手方向に延長するように形成された左右一対の圧搾溝であり、両側に大腿部が位置するとともに、圧搾溝離間幅の拡大領域を形成するように、両側の圧搾溝がそれぞれ、ナプキン１の中心側に曲率中心を有する曲線によって形成されている。
【００３７】
前記会陰部圧搾溝８ｄは、会陰部に対応するとともに、前記排血部圧搾溝８ｃに連続して中高部吸収体６の両側に、ほぼナプキン１の長手方向に延長するように形成された左右一対の圧搾溝であり、両側の圧搾溝がそれぞれ、ナプキン１の外方側に曲率中心を有する曲線によって形成されている。
【００３８】
前記臀裂部圧搾溝８ｅは、臀裂部に対応するとともに、前記会陰部圧搾溝８ｄに連続して中高部吸収体６の両側に、ほぼナプキン１の長手方向に延長するように形成された左右一対の圧搾溝であり、両側の圧搾溝がそれぞれ、ナプキン１の中心側に曲率中心を有する曲線によって形成されている。
【００３９】
前記臀裂後部側圧搾溝８ｆは、前記臀裂部圧搾溝８ｅに連続して中高部吸収体６の両側に、ほぼナプキン１の長手方向に延長するように形成された左右一対の圧搾溝であり、僅かづつ圧搾溝の離間幅を漸次狭めるように後部側まで延長され、後端部において円弧状の曲線圧搾溝によって両側の圧搾溝が結合されている。
【００４０】
上記排血部圧搾溝８ｃ、会陰部圧搾溝８ｄ、臀裂部圧搾溝８ｅ及び臀裂後部側圧搾溝８ｆにおける圧搾溝間の幅の相対的関係は、前記排血部圧搾溝８ｃ及び臀裂部圧搾溝８ｅ間の幅Ｂ１、Ｂ３（最大幅）よりも、これら排血部Ｈと臀裂部との間の会陰部圧搾溝８ｄ間の幅Ｂ２（最小幅）が小さくなるように形成されているとともに、前記臀裂部圧搾溝８ｅ間の幅Ｂ３よりも臀裂後部圧搾溝８ｆ間の幅Ｂ４が小さくなるように形成されている。また、少なくとも会陰部から臀裂部にかけた範囲Ｓにおいては、前記左右一対の圧搾溝８ｃ〜８ｅ以外には圧搾溝を有しない構造とされる。
【００４１】
従って、詳細には図６に示されるように、会陰部から臀裂部及びその後端側において、両側から吸収性物品の長手方向中心側に向かって圧縮力Ｆ、Ｆ…を受けた場合、圧搾溝間の幅が最も大きい臀裂部ＳＫにおいて、最も大きな圧縮力を受けることになり、臀裂部の中高部吸収体６が他の部分よりも肌側に隆起するようになり、臀裂部の溝に食い込み、臀裂部の溝に密着し易くなる。
【００４２】
ここで、前記圧搾溝間の幅Ｂ１〜Ｂ３に関して、排血部圧搾溝８ｃ間の幅Ｂ１は、40〜60mm、好ましくは45〜55mmとされ、前記会陰部圧搾溝８ｄ間の幅Ｂ２は、15〜35mm、好ましくは20〜30mmとされ、前記臀裂部圧搾溝８ｅ間の幅Ｂ３は、20〜40mm、好ましくは25〜35mmとされる。また、排血部圧搾溝８ｃ間の幅Ｂ１と会陰部圧搾溝８ｄ間の幅Ｂ２との相対差（Ｂ１−Ｂ２）は、5〜45mm、好ましくは10〜35mm、前記臀裂部圧搾溝８ｅ間の幅Ｂ３と会陰部圧搾溝８ｄ間の幅Ｂ２との相対差（Ｂ３−Ｂ２）は、5〜25mm、好ましくは5〜15mmとされる。
【００４３】
また、前記前端部圧搾溝８ａの前側には、間を空けて縮小形状圧搾溝８ｂの前端部に結合する半円弧状の圧搾溝９が形成され、前記前端部圧搾溝８ａとで三日月形状の貯留ポケットが形成されている。その結果、ナプキン１の前端部を船先状に屈曲させ肌に密着させるとともに、体液が前端部側に流出したとしても、貯留部となって体液の流出を阻止するようになっている。一方、ナプキン１の後端部には、複合半円弧状の圧搾溝１０が独立して形成され、体液が後部側に流出したとしても、貯留部となって体液の流出を阻止するようになっている。
【００４４】
ところで、前記圧搾溝８は、図３及び図６に示されるように、少なくとも会陰部から臀裂部にかけた範囲Ｓにおいて、前記中高部吸収体６の側縁よりも外側に２〜１０mm、好ましくは２〜６mm離間した位置（距離：Ｍ）に形成されていることが望ましい。これにより、中高部吸収体６が柔らかく維持されたままとなるため、角折れすることなく、臀部の曲線に沿って曲線状に折れ曲がり易くなる。これに対して、排血部Ｈに対応する部位、すなわち前記圧搾溝８ｃは、前記中高部吸収体６の側縁位置に合わせて形成し、排血部Ｈの中高部吸収体６を盛り上げるように形状保持するのが望ましい。
【００４５】
また、臀裂部ＳＫの中高部吸収体６をより肌側に密着させるためには、前記会陰部における圧搾溝８ｄの幅を前記臀裂部における圧搾溝８ｅの幅よりも大きく形成するとともに、少なくとも会陰部から臀裂部にかけた範囲Ｓにおいて、高圧搾部（黒塗り部：ａ）と低圧搾部（白塗り部：ｂ）とが交互に形成された圧搾溝とされるとともに、これら高圧搾部ａと低圧搾部ｂとの方向が、ナプキン１の長手方向中心側に向かって後部側に傾斜する方向とすることが望ましい。臀裂部の圧搾溝８ｅの幅を相対的に細く形成すること、及び前記高圧搾部ａと低圧搾部ｂとの方向をナプキン１の長手方向中心側に向かって後部側に傾斜する方向とすることにより、両側から吸収性物品の長手方向中心側に向かって圧縮力Ｆ、Ｆ…を受けた際、前記圧搾溝８ｅがナプキン１の幅方向に折れ曲がり易くなり、臀裂部ＳＫの中高部吸収体６を隆起させ易くなる。
【００４６】
〔他の形態例〕
(1)前記中高部吸収体６の厚みは、全長に亘って等厚とすることでもよいが、臀裂部から後部側にかけて厚みが漸次減少するようにするのが望ましい。臀部の窪みは、肛門部から後側にかけて漸次浅くなっているため、これに合わせて中高部吸収体６の厚みを減少させることにより、臀裂部での違和感を解消することができるとともに、中高部吸収体６の剛性が後部側にかけて漸次小さくなることにより、ナプキン１が臀部に沿って曲線状にフィットし易くなる。
(2)上記形態例では、圧搾溝８は前後部で結合され、周方向に閉合した平面形状としたが、前後部で閉合しない平面形状とすることも可能である。
【図面の簡単な説明】
【００４７】
【図１】本発明に係る生理用ナプキン１の展開図である。
【図２】その横断面図（図１のII−II線矢視図）である。
【図３】その横断面図（図１のIII−III線矢視図）である。
【図４】その横断面図（図１のIV−IV線矢視図）である。
【図５】圧搾溝８の拡大平面図である。
【図６】その要部拡大図である。
【図７】ナプキン１の装着状態図である。
【図８】特許文献４に係る生理用ナプキン５０を示す、(A)は製品状態横断面図、(B)は装着状態横断面図である。
【図９】生理用ナプキン１の問題点説明図である。
【符号の説明】
【００４８】
１…生理用ナプキン、２…不透液性バックシート、３…透液性トップシート、４…吸収体、５…クレープ紙、６…中高部、７…サイド不織布、８…圧搾溝、８ａ…前端部圧搾溝、８ｂ…縮小形状圧搾溝、８ｃ…排血部圧搾溝、８ｄ…会陰部圧搾溝、８ｅ…臀裂部圧搾溝、８ｆ…臀裂後部側圧搾溝、９・１０…圧搾溝、ＢＳ…立体ギャザー、Ｗ…ウイング状フラップ、ＷＢ…臀部側ウイング状フラップ
【図１】
2008295475.tif 000003
【図２】
2008295475.tif 000004
【図３】
2008295475.tif 000005
【図４】
2008295475.tif 000006
【図５】
2008295475.tif 000007
【図６】
2008295475.tif 000008
【図７】
2008295475.tif 000009
【図８】
2008295475.tif 000010
【図９】
2008295475.tif 000011